(57)【要約】【課題】ダウンロードデータの修正処理に要する時間の短縮化及びコストの低減化を図る。【解決手段】本発明は、色変換テーブルデータＡからダウンロードデータＣを作成し、ダウンロードデータＣに基づき画像形成処理を行う画像形成システムであって、色変換テーブルデータＡの適正なデータ本体を確認用データＤとして取得する確認用データ取得手段２２と、ダウンロードデータＣからデータ本体を取得するダウンロードデータ取得手段２３と、確認用データ取得手段２２が取得した確認用データＤとダウンロードデータ取得手段２３が取得したダウンロードデータＣのデータ本体とが一致するかどうかを判定するデータ比較手段２５と、データ比較手段２５の判定結果を出力する比較結果出力手段２６とを備えていることを特徴とする。【選択図】図１
2008217646.tif 000002
【特許請求の範囲】
【請求項１】
色変換テーブルデータからダウンロードデータを作成し、該ダウンロードデータに基づき画像形成処理を行う画像形成システムであって、
前記色変換テーブルデータの適正なデータ本体を確認用データとして取得する確認用データ取得手段と、
前記ダウンロードデータからデータ本体を取得するダウンロードデータ取得手段と、
前記確認用データ取得手段が取得した確認用データと前記ダウンロード取得手段が取得したダウンロードデータのデータ本体とが一致するかどうかを判定するデータ比較手段と、
該データ比較手段の判定結果を出力する比較結果出力手段と、
を備えていることを特徴とする画像形成システム。
【請求項２】
前記確認用データ取得手段が取得した確認用データと前記ダウンロードデータ取得手段が取得したダウンロードデータのデータ本体とが一致しないと前記データ比較手段が判定した場合には、前記比較結果出力手段は、前記確認用データと前記ダウンロードのデータ本体とが一致しない旨のコメントを含む確認用データと前記ダウンロードデータのデータ本体とを同時に出力する請求項１に記載の画像形成システム。
【請求項３】
前記色変換テーブルデータから構成要素を取得する構成要素データ取得手段と、
該構成要素データ取得手段が取得した色変換テーブルデータの構成要素が予め設定されている作成ルールに従って作成されているかどうかを判定する正当性判定手段と、
前記構成要素が前記作成ルールに従って作成されていると前記正当性判定手段が判定した後に前記色変換テーブルデータをダウンロードし、前記ダウンロードデータを作成するダウンロードデータ作成手段と、
前記構成要素が前記作成ルールに従って作成されているかどうかを前記正当性判定手段が判定した結果を表示する判定結果表示手段と、
をさらに備えている請求項１又は２に記載の画像形成システム。
【請求項４】
色変換テーブルデータからダウンロードデータを作成し、該ダウンロードデータに基づき画像形成処理を行う画像形成プログラムであって、
前記色変換テーブルデータの適正なデータ本体を確認用データとして取得する確認用データ取得ステップと、
前記ダウンロードデータからデータ本体を取得するダウンロードデータ取得ステップと、
前記確認用データ取得ステップで取得した確認用データと前記ダウンロードデータ取得ステップで取得したダウンロードデータのデータ本体とが一致するかどうかを判定するデータ比較ステップと、
該データ比較ステップにおける判定結果を出力する比較結果出力ステップと、
をコンピュータに実行させるための画像形成プログラム。
【請求項５】
前記データ比較ステップにおいて前記確認用データと前記ダウンロードデータのデータ本体とが一致しないと判定された場合には、前記確認用データと前記ダウンロードのデータ本体とが一致しない旨のコメントを含む確認用データと前記ダウンロードデータのデータ本体とを同時に出力する請求項４に記載の画像形成プログラム。
【請求項６】
前記色変換テーブルデータから構成要素を取得する構成要素データ取得ステップと、
該構成要素データ取得ステップで取得した色変換テーブルデータの構成要素が予め設定されている作成ルールに従って作成されているかどうかを判定する正当性判定ステップと、
該正当性判定ステップで前記構成要素が前記作成ルールに従って作成されていると判定した後に前記色変換テーブルデータをダウンロードし、前記ダウンロードデータを作成するダウンロードデータ作成ステップと、
前記正当性判定ステップにおいて前記構成要素が前記作成ルールに従って作成されているかどうかについて判定した結果を表示する判定結果表示ステップと、
をさらにコンピュータに実行させるための請求項４又は５に記載の画像形成プログラム。
【発明の詳細な説明】
【技術分野】
【０００１】
本発明は、色変換テーブルデータからダウンロードデータを作成し、該ダウンロードデータに基づき画像形成処理を行う画像形成システム及び画像形成プログラムに関する。
【背景技術】
【０００２】
近年におけるカラースキャナ、カラー複写機等のカラー画像形成装置の急速な普及に伴い、色変換テーブルデータをダウンロードして作成したダウンロードデータを利用してそれぞれの用途や要望に合わせて画像形成処理を行うことができるようになっている。
【０００３】
このような場合、従来は、図１１に示すように、色変換テーブルデータの開発者がパソコン１を使用して該色変換テーブルデータに構成要素を付加してダウンロードデータを作成し、該ダウンロードデータを操作者であるサービスマンや一般ユーザに提供していた（ダウンロードデータ作成工程）。
【０００４】
一方、ダウンロードデータを受け取った操作者は、パソコン２からインターネット接続又はＵＳＢ（Universal Serial Bus）などのケーブル接続を介して画像形成装置３に接続し、ダウンロードデータを送信してダウンロードを実行したり、或いは、ＳＤ（Secure Digital）メモリカードやＣＦ（Compact Flash）カードといった外部メディア４にダウンロードデータを格納し、この外部メディア４を画像形成装置３に挿入してデータを読み込ませてダウンロードを実行したりして、ダウンロードデータをＨＤＤ（Hard Disk Drive）５やメモリ６等の画像形成装置３の内部記憶装置７に格納していた（ダウンロード実行工程）。
【０００５】
しかしながら、このような従来の手法では、構成要素の項目が未設定の状態になっていたり或いは間違って設定されていたりする不正データが前記色変換テーブルデータに含まれていたとしても、開発者が気付かずに、そのままダウンロードデータとして画像形成装置３内に格納されてしまうといった問題があった。
【０００６】
そこで、最近では、画像形成装置内に格納されている色変換テーブルデータに関する構成要素（属性情報）を取得し、該構成要素（属性情報）に基づいて不正データを検出する手段を備えたデータ処理システム及びデータ処理方法が提案されている（例えば、特許文献１参照）。
【特許文献１】特許第３８４８１９６号公報
【発明の開示】
【発明が解決しようとする課題】
【０００７】
ところが、上記した従来の手法では、色変換テーブルデータの構成要素（属性情報）に対してのみ不正データの検出を行っているが、前記ダウンロードデータ作成工程において開発者が間違える可能性があるのは、構成要素（属性情報）よりむしろ色変換テーブルデータのデータ本体の方である。
【０００８】
すなわち、開発者は、ダウンロードデータを作成する際に、何十個もの色変換テーブルデータについてテストとエラーを繰り返しながら最良の色変換テーブルデータを選択することが多いため、その過程において、自分が所望する色変換テーブルデータの適正なデータ本体ではなく、例えば１つ前にテストした色変換テーブルデータのデータ本体を誤って選択してしまう可能性がある。そのような場合には、入力カラー等の構成要素は合っているもののデータ本体が間違っており、開発者が所望した色と異なる色をリリースしたことに気付かず、後の工程で異なった画像サンプルを使用した時などに、出力カラーの食い違いによるトラブルを引き起こすおそれがあるといった問題があった。また、そのような場合には、色の誤差が小さく、開発者にしか分からない場合も多いため、早期に発見することが難しい。
【０００９】
本発明は上記した課題を解決すべくなされたものであり、開発者が所望する色変換テーブルデータのデータ本体が使用されているかどうかを確認用データによって確認することができ、ダウンロードデータの修正処理に要する時間の短縮化及びコストの低減化を図ることができる画像形成システム及び画像形成プログラムを提供することを目的とするものである。
【課題を解決するための手段】
【００１０】
上記した目的を達成するため、本発明は、色変換テーブルデータからダウンロードデータを作成し、該ダウンロードデータに基づき画像形成処理を行う画像形成システムであって、前記色変換テーブルデータの適正なデータ本体を確認用データとして取得する確認用データ取得手段と、前記ダウンロードデータからデータ本体を取得するダウンロードデータ取得手段と、前記確認用データ取得手段が取得した確認用データと前記ダウンロード取得手段が取得したダウンロードデータのデータ本体とが一致するかどうかを判定するデータ比較手段と、該データ比較手段の判定結果を出力する比較結果出力手段とを備えていることを特徴とする。
【００１１】
そして、前記確認用データ取得手段が取得した確認用データと前記ダウンロードデータ取得手段が取得したダウンロードデータのデータ本体とが一致しないと前記データ比較手段が判定した場合には、前記比較結果出力手段は、前記確認用データと前記ダウンロードのデータ本体とが一致しない旨のコメントを含む確認用データと前記ダウンロードデータのデータ本体とを同時に出力するのがよい。
【００１２】
また、前記色変換テーブルデータから構成要素を取得する構成要素データ取得手段と、該構成要素データ取得手段が取得した色変換テーブルデータの構成要素が予め設定されている作成ルールに従って作成されているかどうかを判定する正当性判定手段と、前記構成要素が前記作成ルールに従って作成されていると前記正当性判定手段が判定した後に前記色変換テーブルデータをダウンロードし、前記ダウンロードデータを作成するダウンロードデータ作成手段と、前記構成要素が前記作成ルールに従って作成されているかどうかを前記正当性判定手段が判定した結果を表示する判定結果表示手段とをさらに備えていてもよい。
【００１３】
また、本発明は、色変換テーブルデータからダウンロードデータを作成し、該ダウンロードデータに基づき画像形成処理を行う画像形成プログラムであって、前記色変換テーブルデータの適正なデータ本体を確認用データとして取得する確認用データ取得ステップと、前記ダウンロードデータからデータ本体を取得するダウンロードデータ取得ステップと、前記確認用データ取得ステップで取得した確認用データと前記ダウンロードデータ取得ステップで取得したダウンロードデータのデータ本体とが一致するかどうかを判定するデータ比較ステップと、該データ比較ステップにおける判定結果を出力する比較結果出力ステップとをコンピュータに実行させることを特徴とする。
【００１４】
そして、前記データ比較ステップにおいて前記確認用データと前記ダウンロードデータのデータ本体とが一致しないと判定された場合には、前記確認用データと前記ダウンロードのデータ本体とが一致しない旨のコメントを含む確認用データと前記ダウンロードデータのデータ本体とを同時に出力するのがよい。
【００１５】
また、前記色変換テーブルデータから構成要素を取得する構成要素データ取得ステップと、該構成要素データステップで取得した色変換テーブルデータの構成要素が予め設定されている作成ルールに従って作成されているかどうかを判定する正当性判定ステップと、該正当性判定ステップで前記構成要素が前記作成ルールに従って作成されていると判定した後に前記色変換テーブルデータをダウンロードし、前記ダウンロードデータを作成するダウンロードデータ作成ステップと、前記正当性判定ステップにおいて前記構成要素が前記作成ルールに従って作成されているかどうかについて判定した結果を表示する判定結果表示ステップとをさらにコンピュータに実行させてもよい。
【発明の効果】
【００１６】
本発明によれば、開発者が所望する色変換テーブルデータのデータ本体が使用されているかどうかを確認用データによって確認することができるため、信頼性の高いダウンロードデータを提供することができ、ダウンロードデータの修正処理に要する時間の短縮化及びコストの低減化を図ることができる。
【発明を実施するための最良の形態】
【００１７】
以下、図面を参照しつつ、本発明の実施の形態について説明する。ここで、図１は本発明の実施の形態に係る画像形成システムを示す概略図、図２は同画像形成システムにおいて確認用データを送信している状態を示す概念図、図３は同画像形成システムのダウンロードユーティリティの構成を示すブロック図、図４は同画像形成システムの画像形成装置の構成を示すブロック図である。なお、図２中、従来例と同等の構成については図１１と同一の符号を付し、詳細な説明は省略する。
【００１８】
本実施の形態に係る画像形成システムは、図１に示すように、色変換テーブルデータＡが作成ルールＢに従って作成されている場合にダウンロードデータＣを作成する一方、図２に示すように開発者が送信した色変換テーブルデータＡの適正なデータ本体である確認用データＤを、前記ダウンロードデータＣと比較し、両者の比較結果を出力するものであり、本実施の形態の場合、パソコン１１にインストールされたダウンロードユーティリティ１２と画像形成装置１３によって実現される。
【００１９】
ダウンロードユーティリティ１２は、図３に示すように、開発者が作成した色変換テーブルデータＡを取得するテーブルデータ取得手段１４と、テーブルデータ取得手段１４が取得した色変換テーブルデータＡから構成要素Ａａ（図５参照）を取得する構成要素データ取得手段１５と、予め設定されている作成ルールＢを取得する作成ルール取得手段１６と、構成要素データ取得手段１５が取得した色変換テーブルデータＡの構成要素Ａａが作成ルールＢに従って作成されているかどうかを判定する正当性判定手段１７と、構成要素Ａａが作成ルールＢに従って作成されていると正当性判定手段１７が判定した後に色変換テーブルデータＡをダウンロードし、ダウンロードデータＣを作成するダウンロードデータ作成手段１８と、構成要素Ａａが作成ルールＢに従って作成されているかどうかを正当性判定手段１７が判定した結果を表示する判定結果表示手段１９と、新規にダウンロードデータＣを作成するのか或いは既に作成されているダウンロードデータＣを確認するのかを選択するための画面をパソコン１１上に出力する新規作成／確認選択手段２０と、確認用のサンプルデータがある場合に該サンプルデータを読み込むサンプルデータ読み込み手段２１とを備えて構成されている。
【００２０】
また、画像形成装置１３は、図４に示すように、色変換テーブルデータＡの適正なデータ本体を確認用データＤとして取得する確認用データ取得手段２２と、既にダウンロードされているダウンロードデータＣからデータ本体を取得するダウンロードデータ取得手段２３と、確認用のサンプルデータがある場合に該サンプルデータを読み込むサンプルデータ読み込み手段２４と、確認用データ取得手段２２が取得した確認用データＤとダウンロードデータ取得手段２３が取得したダウンロードデータＣのデータ本体とが一致するかどうかを判定するデータ比較手段２５と、データ比較手段２５の判定結果を出力する比較結果出力手段２６とを備えて構成されている。
【００２１】
図５は色変換テーブルデータＡの構成を示している。この色変換テーブルデータＡは、構成要素Ａａと、色変換テーブルデータＡのデータ本体である本体Ａｂとにより構成されている。そして、この場合の構成要素Ａｂは、ＲＧＢ，ＣＭＹＫ，ＬＡＢ，グレー等の入力カラーである入力色空間と、ＣＭＹＫ，Ｋ等の出力カラーである出力色空間と、Ｉｍａｇｅ，Ｔｅｘｔ，Ｖｅｃｔｏｒ，ＡＬＬ等の処理対象のデータオブジェクトである対象オブジェクトと、６，９，１７等の格子数とから構成されている。
【００２２】
図６は作成ルールＢの構成を示しており、この作成ルールＢは、ＲＧＢ，ＣＭＹＫ，ＬＡＢ，グレー等の入力カラーである入力色空間と、ＣＭＹＫ，Ｋ等の出力カラーである出力色空間と、６，９，１７等の格子数と、入力色空間、出力色空間、格子数から求められるデータサイズとから構成されている。
【００２３】
図７はダウンロードデータＣの構成を示しており、図５の色変換テーブルデータＡに管理ＩＤ（例えば、ＩＤ００１）が付加されて構成されている。
【００２４】
図８は確認用データＤの構成を示しており、開発者が所望する図５の色変換テーブルデータの適正なデータ本体Ａｂと、確認用のコメントから成るチェックデータと、画像から成るサンプルデータとから構成されている。
【００２５】
次に、図９を参照しつつ、本発明の実施の形態に係る画像形成システムにおいて確認用データを作成する時の処理手順について説明する。なお、以下の説明では、格子数が９のＲＧＢのカラーのイメージ用の色変換テーブルデータのダウンロードデータの確認用データを作成する場合について例示して説明する。
【００２６】
先ず、開発者が、始めに自分が作成した色変換テーブルデータＡを読み込み（Ｓ１０１）、該読み込んだ色変換テーブルデータＡに対して構成要素Ａａの各項目を設定する（Ｓ１０２）。本実施の形態では、構成要素Ａａの各項目において、例えば、入力色空間としてＲＧＢ、出力色空間としてＣＭＹＫ、対象オブジェクトとしてイメージ、格子数として９という値を設定している。なお、これらの構成要素Ａａの設定は、プロパティ画面において直接入力してもよく、また、ファイルから読み込むようにしてもよい。
【００２７】
次いで、新規作成／確認選択手段２０によるパソコン１１に出力された画面上において開発者が確認を選択すると（Ｓ１０３）、テーブルデータ取得手段１４が取得した色変換テーブルデータＡから構成要素データ取得手段１５が構成要素Ａａを取得し、正当性判定手段１７は、この構成要素Ａａである、入力カラー、出力カラー、格子数が対象外のものに設定されていないかどうかを、作成ルール取得手段１６によって取得された作成ルールＢに従って確認すると同時に、この構成要素Ａａから求められるテーブルのデータサイズと取得した色変換テーブルデータＡのデータサイズとが一致しているかどうかを確認し、色変換テーブルデータＡの正当性を判定する（Ｓ１０４）。なお、前記ステップ１０３において開発者が新規作成を選択した場合には、特に図示しないが、色変換テーブルデータＡに管理ＩＤを付加してダウンロードデータＣを作成し、本処理を終了する。
【００２８】
前記ステップ１０４における判定の結果、色変換テーブルデータＡが正当であると正当性判定手段１７が判定した場合、サンプルデータ読み込み手段２１は、確認用のサンプルがあるかどうかを判定し（Ｓ１０５）、確認用サンプルがある場合には該確認用サンプルを読み込み（Ｓ１０６）、確認用データＤを作成する（Ｓ１０７）。また、確認用サンプルがない場合には確認用サンプルを読み込むことなく確認用データＤを作成する（Ｓ１０７）。
【００２９】
一方、前記ステップ１０４において、色変換テーブルデータＡが正当でないと正当性判定手段１７が判定した場合には、判定結果表示手段１９は、色変換テーブルデータＡのどの構成要素Ａａが対象外のものに設定されていたのか、或いは、それらの構成要素Ａａから求められるテーブルのデータサイズと取得した色変換テーブルデータＡのデータサイズとが一致しなかったのかを表示する（Ｓ１０８）。
【００３０】
次に、図１０を参照しつつ、本発明の実施の形態に係る画像形成システムにおいて確認作業を行う時の処理手順について説明する。
【００３１】
画像形成装置１３において確認用データ取得手段２２が確認用データＤを読み込む（Ｓ２０１）と共に、ダウンロードデータ取得手段２３が画像形成装置１３にダウンロードされているダウンロードデータＣのデータ本体を内部記憶装置７から取り出す（Ｓ２０２）。
【００３２】
次いで、サンプルデータ読み込み手段２４は、確認用のサンプルがあるかどうかを判定し（Ｓ２０３）、確認用サンプルがある場合には該確認用サンプルを読み込む（Ｓ２０４）一方、確認用サンプルがない場合には確認用サンプルを読み込むことなく、次のステップ２０５に進む。
【００３３】
ステップ２０５では、データ比較手段２５が、確認用データＤとダウンロードデータＣのデータ本体とが一致するかどうかを判定する（Ｓ２０５）。その結果、両者が一致するとデータ比較手段２５が判定した場合には、比較結果出力手段２６は、両方のデータが一致する旨のコメント（チェックデータ）を出力する（Ｓ２０６）。この時、前記ステップ２０３において確認用のサンプルがあると判定されている場合には、そのサンプルも同時に出力する。
【００３４】
一方、前記ステップ２０５において、確認用データＤとダウンロードデータＣのデータ本体とが一致しないとデータ比較手段２５が判定した場合には、比較結果出力手段２６は、両方のデータが一致しない旨のコメント（チェックデータ）を含む確認用データＤと、ダウンロードデータＣのデータ本体とを、該ダウンロードデータのバージョン情報や識別情報などと共に出力する（Ｓ２０７）。また、この時、前記ステップ２０３において確認用のサンプルがあると判定されている場合には、そのサンプルも同時に出力する。
【００３５】
このように上記した実施の形態に係る画像形成システムによれば、開発者が所望する色変換テーブルデータＡのデータ本体が使用されているかどうかを確認用データによって確認することができるため、信頼性の高いダウンロードデータＣを提供することができ、ダウンロードデータＣの修正処理に要する時間の短縮化及びコストの低減化を図ることができる。
【００３６】
また、色変換テーブルデータＡをダウンロードする前に不正データを検出し、未然に不正データを含むダウンロードデータＣの作成を確実に防止することができるため、信頼性の高いダウンロードデータＣを操作者に提供することができる。したがって、操作者の精神的な負担や確認作業の軽減化を図ることができる。
【００３７】
なお、上記した実施の形態において、色変換テーブルデータＡの正当性を正当性判定手段１７が判定する際に、構成要素Ａａのすべての項目が作成ルールＢに基づいて設定されているかどうかについて確認しているが、これは単なる例示に過ぎず、例えば、データサイズだけを確認したり、或いは、データサイズと入力色空間、又はデータサイズと出力色空間、又はデータサイズと格子数により確認したりする等、各種変更が可能である。
【００３８】
また、上記した色変換テーブルデータＡの構成要素Ａａの項目は、単なる例示に過ぎず、対象オブジェクトを省略する等、各種変更が可能である。
【００３９】
さらに、上記した実施の形態では、本発明をパソコン１１にインストールしたダウンロードユーティリティ１２と画像形成装置１３によって実施した場合について説明したが、ダウンロードユーティリティの機能を画像形成装置に持たせる等、各種変更が可能であることは言う迄もない。
【図面の簡単な説明】
【００４０】
【図１】本発明の実施の形態に係る画像形成システムを示す概略図である。
【図２】本発明の実施の形態に係る画像形成システムにおいて確認用データを送信している状態を示す概念図である。
【図３】本発明の実施の形態に係る画像形成システムのダウンロードユーティリティの構成を示すブロック図である。
【図４】本発明の実施の形態に係る画像形成システムの画像形成装置の構成を示すブロック図である。
【図５】本発明の実施の形態に係る画像形成システムの色変換テーブルデータの構成を示す図である。
【図６】本発明の実施の形態に係る画像形成システムの作成ルールの構成を示す図である。
【図７】本発明の実施の形態に係る画像形成システムのダウンロードデータの構成を示す図である。
【図８】本発明の実施の形態に係る画像形成システムの確認用データの構成を示す図である。
【図９】本発明の実施の形態に係る画像形成システムの処理手順を示すフローチャートである。
【図１０】本発明の実施の形態に係る画像形成システムにおいて確認用データを作成する時の処理手順を示すフローチャートである。
【図１１】従来例を示す概略図である。
【符号の説明】
【００４１】
Ａ          色変換テーブルデータ
Ａａ        構成要素
Ｂ          作成ルール
Ｃ          ダウンロードデータ
２          構成要素取得手段
４          正当性判定手段
５          ダウンロード作成手段
６          判定結果表示手段
【図１】
2008217646.tif 000003
【図２】
2008217646.tif 000004
【図３】
2008217646.tif 000005
【図４】
2008217646.tif 000006
【図５】
2008217646.tif 000007
【図６】
2008217646.tif 000008
【図７】
2008217646.tif 000009
【図８】
2008217646.tif 000010
【図９】
2008217646.tif 000011
【図１０】
2008217646.tif 000012
【図１１】
2008217646.tif 000013